(57)【特許請求の範囲】
【請求項１】
空気処理化学物質を供給するためのウェアラブルデバイスであって、
ハウジングの内部空間内に空気が入ることを許容するための吸気口と、空気処理化学物質と混合された空気が前記内部空間から出ることを許容する排気口とを含むハウジングと、
前記ハウジング内に配置された担体であって、空気処理化学物質を帯びる担体と、
前記ハウジング内に搭載された電源と、
前記ハウジング内に搭載されたモータであって、前記電源によって動かされるモータと、
前記ハウジング内に搭載されたファンであって、空気に空気処理化学物質を混合させ、その後、空気と空気処理化学物質との混合物を前記排気口から前記ハウジングの外側に供給するために前記担体に隣接する前記吸気口から前記空気を移動させることができるファンと、を含み、
前記ファンは前記モータに接続されたロータと複数のブレードとを含み、
前記ロータは中央壁を含み、
前記中央壁は前記ロータ内に凹部を規定し、
前記モータの少なくとも一部は前記凹部内に配置され、
前記ブレードは前記中央壁に接続され、かつ前記中央壁から離れる方向に延在し、
前記ブレードの前記中央壁側は内側エッジと前記中央壁に接続された部分とを含み、
前記ブレードの外側エッジの高さは、前記ブレードの内側エッジの高さよりも大きく、
前記デバイスは、少なくとも毎分０．０４２立方メートル（毎分１．５立方フィート）の空気の平均容積流速を１２時間の期間に渡って維持することができ、前記デバイスは前記１２時間の期間に対して前記電源から０．３５ワットまたはそれ以下の電力を消費する、ウェアラブルデバイス
【請求項２】
前記ファンは、１２から１８個のブレードを含む、請求項１のデバイス。
【請求項３】
各ブレードは前記内側エッジから前記外側エッジへと延在するボディーを含み、
各ブレードの前記内側エッジは前記ロータの中心点からの径方向の線に沿って、前記ロータの中心点からある距離だけ離され、複数の前記ブレードの前記ボディーはそれと関連する径方向の線との間に１００°から１５０°の範囲の内角を形成する、請求項１のデバイス。
【請求項４】
複数の前記ブレードは、各々、前記内側エッジから前記外側エッジへと延在するボディーを含み、前記ボディーは前記ロータの中心点から前記ブレードの前記内側エッジまでの距離の８０％から１３０％に相当する長さを有する、請求項１のデバイス。
【請求項５】
複数の前記ブレードは、各々、前記内側エッジから前記外側エッジへと延在するボディーを含み、各ブレードの前記ボディーは前記ロータの中心点から前記ブレードの前記外側エッジまでの距離の４５％から７５％に相当する長さを有する、請求項１のデバイス。
【請求項６】
前記ハウジングの排気口はそれぞれ分離された複数の開口を含み、前記開口は前記ハウジングの側面構造の少なくとも１８０°にわたって分離して配置される、請求項１のデバイス。
【請求項７】
前記複数のブレードは前記ハウジングのフロント壁と実質的に垂直であり、前記ハウジングのフロント壁は吸気口の開口の配列を有する、請求項１のデバイス。
【請求項８】
前記ロータは前記ロータの中点から前記外側エッジまでの１０ミリから５０ミリメートルの長さを有する、請求項１のデバイス。
【請求項９】
前記ファンから前記開口までの流路には妨害がない、請求項６のデバイス。
【請求項１０】
前記ハウジングの外側壁に回転可能に接続されたクリップをさらに含む、請求項１のデバイス。
【請求項１１】
前記クリップは少なくとも９０°回転できる請求項１０のデバイス。
【請求項１２】
さらに前記ハウジングと前記クリップとの互いの関係におけるインデックス付きの回転位置決めのための手段を含む請求項１０のデバイス。
【請求項１３】
前記第一の主部ハウジングセクションと前記第二の蓋部ハウジングセクションとを接続し、前記第二の蓋部ハウジングセクションを前記第一の主部ハウジングセクションに対して閉じた位置と開いた位置との間で枢動的に移動させるように制御するためのヒンジ機構をさらに含み、
前記ヒンジ機構は前記第二の蓋部ハウジングセクション上に搭載され、それぞれ分離して配置されたヒンジアームと、前記第一の主部ハウジングセクション上にそれぞれ分離して配置されたノッチとを含み、
各ヒンジアームは枢動ピンを含み、
各枢動ピンは関連する一つの前記ノッチ内で回転することができる、請求項１のデバイス。
【請求項１４】
前記各ヒンジアームの前記枢動ピンは前記ヒンジアームの一端と隣接して横方向に延在し、
各々の前記枢動ピンは平坦なセクションを有する外側壁を有し、
各々の前記枢動ピンの前記平坦なセクションは、ノッチ内に、前記第二の蓋部ハウジングセクションがその完全に開いた位置にあるとき、それと関連するノッチの平坦な表面と
接触するように搭載される、請求項１３のデバイス。
【発明の詳細な説明】
【技術分野】
【０００１】
本発明は防虫剤および／または香料などの化学物質を供給するウェアラブルディスペンサに関する。
【背景技術】
【０００２】
人に虫刺されからの保護を提供するために様々な技術が開発されている。建物内での昆虫の制御に対しては、昆虫が建物内に入ることを完全に避けようとすること（例えば、窓にスクリーンをかけること）に主に重点が置かれる。これはしばしば部屋の空気の化学的処理および／あるいはトラップの使用によって補強される。例えば、米国特許第６，５８２，７１４号および７，１７５，８１５号、並びに米国特許出願公報第２００５／００７９１１３号、２００６／００３９８３５号、２００６／０１３２７４１号および２００７／００３６６８８号を参照されたい。
【０００３】
効果的に虫除けスクリーンを利用できないエリアである屋外に個人がいるときや、個人が主に特定のエリアにとどまるときは（例えば、ピクニックに出かけているときや、建物の付近の中庭にいるときは）、主にトラップやエリア防虫剤に焦点が当てられる。
【０００４】
代わりに、個人が、彼らが管理する単一の地域外に移動するときは、個人は、しばしば、衣服に、あるいは直接に彼らの皮膚に個人用の防虫剤を施す。しかしながら、幾らかの消費者は彼らの皮膚あるいはデリケートな衣服に防虫剤を直接的に施すことに抵抗を示している。
【０００５】
そのため、ファンおよび殺虫剤源を有する携帯用の電気デバイスが開発されている。これらデバイスは、これらをベルト、小物入れ、さらにはポケット上に容易に取り付け、こうして彼らが野外に移動するとき消費者によって「着用（ｗｏｒｎ）」できるようにクリップを有していることがある。このデバイスは、防虫剤あるいは他の空気処理化学物質が含浸された担体を通した空気を吸い込み、あるいはここを通過させる空気を吹き付け、こうすることで、活性物質を空気中に、好ましくは（防虫剤の場合は）人の衣服の外側に沿って下方に供給してもよい。例えば、米国特許第６，９２６，９０２号、７，００７，８６１号、７，１５２，８０９号、および７，１６８，６３０号、並びに米国特許公報第２００３／００４４３２６号、２００３／０１７５１７１号、２００７／０１８３９４０号、および２００９／００６０７９９号（およびＥＳ１０６３５５号も）参照されたい。
【発明の概要】
【発明が解決しようとする課題】
【０００６】
しかしながら、幾つかのこれらデバイスは、活性物質を身体からあまりにも遠く離して吹き付け、このための活性物質が主要な関心の位置（例えば、足首の付近）に殆ど届かないこともある。他のこのようなデバイスは、例えば、使用の間に送風機の動作が一時的に停止されている際に、活性物質の浪費を最小に抑えるための方法を提供しない。さらに他のこのようなデバイスは、コストが高すぎたり、重すぎたり、あるいは他の欠陥を有する。
【０００７】
上述のデバイスの欠陥を解決するための試みが、米国特許出願広報第２００８／０１４１９２８号および２００９／０００８４１１号に説明されているウェアラブルケミカルディスペンサによってなされている。しかしながら、このタイプの製品をさらに、とりわけ、このデバイスをさらにコンパクトおよび軽量にすること、このデバイスを消費者が座っているときにより使い易くすること、および空気処理化学物質に対する補給ユニットを消耗されたときにより容易に交換できるようにすることで、改善することが望ましい。
【０００８】
従って、このタイプのデバイスをこれら領域において改善する必要性が今もなお存在する。
【課題を解決するための手段】
【０００９】
一態様によると、本発明は空気処理化学物質を供給するためのウェアラブルデバイスを提供し、ここでこのデバイスは、
【００１０】
（ａ）空気がハウジングの内部空間内に入ることを許容するための吸気口と、空気処理化学物質と混合された空気が前記内部空間から出ることを許容する排気口とを含むハウジングと、
【００１１】
（ｂ）前記ハウジング内に配置された担体であって、空気処理化学物質を帯びる担体と、
【００１２】
（ｃ）前記ハウジングに搭載された電源と、
【００１３】
（ｄ）前記ハウジング内に搭載されたモータであって、前記電源によって動かされるモータと、
【００１４】
（ｅ）前記ハウジング内に搭載されたファンであって、空気に空気処理化学物質を混合させ、その後、空気と空気処理化学物質との混合物を前記排気口から前記ハウジングの外側に供給するために前記担体に隣接する前記吸気口から前記空気を移動させることができ、前記モータに接続されたロータ、および前記ロータに接続され、前記ロータから離れる方向に延在するそれぞれ分離された複数のブレードを含むファンと、を含む。
【００１５】
一実施形態においては、前記デバイスは、少なくとも毎分０．０４２立方メートル（ｍ３／ｍｉｎ）（毎分１．５立方フィート（ｃｆｍ））の空気の平均容積流速を１２時間の期間に渡って維持することができ、前記デバイスは前記１２時間の期間に前記電源から０．３５ワットまたはそれ以下の電力を消費する。
【００１６】
本発明のこの一態様の特に好ましい実施形態においては、前記ファンは１２から１８個のブレード（例えば、１３個から１５個のブレード、例えば、１４個のブレード）を含み、各ブレードは内側エッジから外側エッジへと延在するボディーを含み、各ブレードの前記内側エッジは前記ロータの中心点からの径方向の線に沿って、前記ロータの中心点からある距離だけ離され、
複数の前記ブレードの前記ボディーは、
【００１７】
（ａ）それと関連する径方向の線との間に１００°から１５０°の範囲の内角を形成し、および／あるいは
【００１８】
（ｂ）前記ロータの中心点から前記ブレードの前記内側エッジまでの距離の８０％から１３０％に相当する長さを有し、および／あるいは
【００１９】
（ｃ）前記ロータの中心点から前記ブレードの前記外側エッジまでの距離の４５％から７５％に相当する長さを有し、および／あるいは
【００２０】
（ｄ）前記ロータの中心点から前記ロータの外側エッジまでの１０ミリから５０ミリメートルの長さを有する。
【００２１】
前記ロータは前記ロータの周囲から内側に離された中央壁を含むことができ、前記壁は前記ロータ内に凹部を規定する。前記モータの少なくとも一部は前記凹部内に配置され、前記ブレードは前記壁から径方向に外側に前記ロータの前記周囲に向かって延在する。
【００２２】
他の好ましい実施形態においては、前記ハウジングはそれぞれ分離された複数の開口を含み、前記開口は前記ハウジングの側面構造の少なくとも１８０°（より好ましくは少なくとも２３５°）にわたって分離して配置され、前記複数のブレードは前記ハウジングのフロント壁と実質的に垂直であり、前記ハウジングのフロント壁は配列された吸気口の開口を有する。このデバイスは１２時間（好ましくはさらに長い期間）に渡って少なくとも、毎分０．０４２立方メートル（毎分１．５立方フィート）の空気の平均容積流速を生成することができ、それにもかかわらずエネルギーの使用および電力要件が効率的であるために、このデバイスを動作させるためによりコンパクトな蓄電池（例えば、ＡＡではなくＡＡＡ）を用いることができる。これはこのデバイスをこの要因のためによりコンパクトにするのみでなく、これは蓄電池をこれでなければ不可能な位置に配置することを可能にし、こうしてこのデバイスのサイズと重量をさらに低減させる。
【００２３】
別の態様によると、本発明は、空気処理化学物質を供給するためのウェアラブルデバイスを提供し、ここでこのデバイスは、
【００２４】
（ａ）ハウジングの内側空間内に空気が入ることを許容するための吸気口と、空気処理化学物質と混合された空気が前記内側空間から出ることを許容する排気口とを含むハウジングと、
【００２５】
（ｂ）前記ハウジング内に配置された担体であって、空気処理化学物質を帯びる担体と、
【００２６】
（ｃ）前記ハウジングに搭載された電源と、
【００２７】
（ｄ）前記ハウジング内に搭載されたモータであって、前記電源によって動かされるモータと、
【００２８】
（ｅ）前記モータに搭載されたファンであって、空気に空気処理化学物質を混合させ、その後、空気と空気処理化学物質の混合物を前記排気口から前記ハウジングの外側に供給するために前記担体に隣接する前記吸気口から前記空気を移動させることができるファンと、
【００２９】
（ｆ）前記ハウジングの外側壁に回転可能に接続されたクリップと、を含む。
【００３０】
クリップあるいはハウジングの外側壁の一方が突起を含むこのデバイスの好ましい実施形態においては、クリップあるいはハウジングの外側壁の他方は、弓状のウエルを含み、この突起はクリップを回転させたとき、このウエル内を移動する。例えば、ウエルはクリップが少なくとも９０°回転できるような寸法にすることもでき、ハウジングとクリップとの互いの関係におけるインデックス付きの回転位置決めのための手段が存在することもできる。この後者の特徴は、移動止めシステムであってもよく、ここではクリップあるいはハウジングの一方の上にはフレキシブルなタブが存在し、クリップあるいはハウジングのもう一方の上にはこのタブに対する一連の異なった静止位置が存在する。例えば、各々のこのような静止位置は凹部の形態であってもよく、タブはその上に突起を有してもよい。
【００３１】
本発明のさらに別の態様においては、空気処理化学物質を供給するためのウェアラブルデバイスが提供されるが、ここでこのデバイスは、
【００３２】
（ａ）第一の主部ハウジングセクションと第二の蓋部ハウジングセクションとを含むハウジングであって、前記第一の主部ハウジングセクションと前記第二の蓋部ハウジングセクションは前記第一の主部ハウジングセクションと前記第二の蓋部ハウジングセクションが閉じた位置にあるとき前記ハウジングの内部空間を規定し、前記ハウジングは空気が前記ハウジングの内部空間内に入ることを許容するための吸気口と、空気処理化学物質と混合された空気が前記内部空間から出ることを許容する排気口とを含む、ハウジングと、
【００３３】
（ｂ）前記ハウジングの前記内部空間内に配置された担体であって、空気処理化学物質を帯びる担体と、
【００３４】
（ｃ）前記ハウジングに搭載された電源と、
【００３５】
（ｄ）前記ハウジングの前記内部空間内に搭載されたモータであって、前記電源によって動かされるモータと、
【００３６】
（ｅ）前記モータに接続されたファンであって、空気に空気処理化学物質を混合させ、その後、空気と空気処理化学物質の混合物を前記排気口から前記ハウジングの外側に供給するために前記担体に隣接する前記吸気口から前記空気を移動させることができるファンと、
【００３７】
（ｆ）前記第一の主部ハウジングセクションと前記第二の蓋部ハウジングセクションとを接続し、前記第二の蓋部ハウジングセクションを前記第一の主部ハウジングセクションに対して閉じた位置と開いた位置との間で枢動的に移動させるように制御するためのヒンジ機構と、を含み、前記ヒンジ機構は前記第二の蓋部ハウジングセクション上に搭載され、それぞれ分離して配置されたヒンジアームと、前記第一の主部ハウジングセクション上にそれぞれ分離して配置されたノッチとを含み、各ヒンジアームは枢動ピンを含み、各枢動ピンは関連する一つの前記ノッチ内で回転することができる。
【００３８】
本発明のこの一態様の好ましい実施形態においては、前記各ヒンジアームの前記枢動ピンは前記ヒンジアームの一端と隣接して横方向に延在し、各々の前記枢動ピンは平坦なセクションを有する外側壁を有し、各々の前記枢動ピンの前記平坦なセクションは、ノッチ内に、前記第二の蓋部ハウジングセクションがその完全に開いた位置にあるとき、それと関連するノッチの平坦な表面と接触するように搭載される。
【００３９】
各々のこのような枢動ピンはさらに外側壁上に第二の平坦なセクションを有してもよく、各々の枢動ピンのこの第二の平坦なセクションは、第二の蓋部ハウジングセクションが完全に開いた位置にあるとき、それと関連するノッチの平坦な表面と接触する。例えば、これらノッチは概ね長方形であってもよい。これら構造はハウジング内に担体を支持するためのフレームが存在するときに最も有効であり、このフレームは対のスロットを含み、ヒンジアームの各々は第二の蓋部ハウジングセクションが閉じた位置と完全に開いた位置との間で枢動的に移動する際に一つのスロット内を移動する。
【発明の効果】
【００４０】
こうして本発明のデバイスはより効率的に電力を使用し、この結果、より小さな電源を、そしていずれにしてもよりコンパクトでより軽量なアセンブリを可能にすることを理解されるべきである。さらにこれらデバイスは、消費者が座っているときにさえもデバイスをより快適に作動させることを可能にし、さらに供給の方向に対するより大きな制御を与える。さらに、特別なヒンジングおよびノッチ配列は、活性物質の詰替品の交換の際に蓋を開いた状態に保持するが、しかしながら、いったん蓋があらかじめ定められた中点へと移動すると、蓋をパチンと閉じた状態へと移動させる。これは詰替品の交換を容易にする。
【００４１】
これらの改善は製造のコストを低減し、デバイスを低コストにて動作させることを可能にし、このようなデバイスを使用しなくてはならなくなったときの消費者のデバイスの重量を最小にしたいという好みに適合する。
【００４２】
本発明のこれらおよび他の長所は以下の詳細な説明および図面を見ることでより良く理解できよう。
【図面の簡単な説明】
【００４３】
【図１】本発明によるウェアラブルケミカルディスペンサの左上正面の斜視図である。
【図２】図１のディスペンサの左側面図である。
【図３】図１のディスペンサの右側面図である。
【図４】図１のディスペンサの背面図である。
【図５】図１のディスペンサの右下底部斜視図であるが、ここでは蓋は開いた位置にある。
【図６】図１のディスペンサの分解斜視図である。
【図７】図５の線７−７に沿って切断された横断面図である。
【図８】図１のディスペンサのヒンジサポートに焦点が置かれた拡大詳細斜視図である。
【図８Ａ】一つのヒンジサポート内のヒンジの一つのアームの拡大詳細横断面図であり、ここでは蓋は完全に開いた状態にある。
【図８Ｂ】図８Ａと類似する図であるが、蓋はここでは部分的にのみ開いた状態にある。
【図８Ｃ】図８Ａと類似する図であるが、蓋はここでは閉じた状態にある。
【図９】図７の線９−９に沿って切断された図であるが、ここでは２点鎖線にて加えられているクリップは、背面図において見えるとした場合の相対的な位置を示す。
【図１０】図１のディスペンサの回転クリップを単独で示す拡大正面図である。
【図１１】図１のディスペンサのロータファンの上面図である。
【発明を実施するための形態】
【００４４】
好ましい例示的ウェアラブルケミカルディスペンサ１８が図１から１１に示されている。ウェアラブルケミカルディスペンサ１８は上側壁２３から延伸する概ね矩形の側壁２２を有する上側ハウジングセクション２０を含む。使用において、壁２３は典型的には前向きに配置され、蓋として働く。それぞれ分離された複数の開口２４が上側ハウジングセクション２０の上側壁２３内に径方向に配列される。開口２４は空気がウェアラブルケミカルディスペンサ１８の内部空間内に入ることを可能にするための吸気口を提供する。タブ２６は上側ハウジングセクション２０を開けるときに上側ハウジングセクション２０を掴むための手段を提供する。
【００４５】
ウェアラブルケミカルディスペンサ１８はさらにオン・オフボタン２９、開口３１、およびカム突起３２を有するスライドカバー２８を含む。ファスナー３４（図６参照）はスライドカバー２８を上側ハウジングセクション２０に、ユーザがオン・オフボタン２９を上側ハウジングセクション２０の側壁２２に沿って移動させたとき、スライドカバー２８が上側ハウジングセクション２０に対して回転するように搭載する。「オフ」位置においては、スライドカバー２８は上側ハウジングセクション２０の上側壁２３内に径方向に配列されている開口２４を閉じる。「オン」位置においては、スライドカバー２８の開口３１は上側ハウジングセクション２０の上側壁２３内に径方向に配列されている開口２４と揃う。
【００４６】
ウェアラブルケミカルディスペンサ１８はさらに図５に示されているように上側ハウジングセクション２０の内側表面に搭載されるヒンジブラケット３６を含む。ヒンジブラケット３６は上側ハウジングセクション２０に取り付けられる平坦なベースプレート３７、その一端に内側方向に向けられた枢動ピン３９を有する概ねＬ−形状のアーム３８、およびその一端に内側方向に向けられた枢動ピン４１を有する概ねＬ−形状のアーム４０を有する。アーム３８とアーム４０は図５および６に示されているようにプレート３７上にそれぞれ離れて配置されている。ヒンジブラケット３６は下に説明されるヒンジ機構の一部を形成する。
【００４７】
ウェアラブルケミカルディスペンサ１８には交換可能な補給ユニット４４が提供されている。補給ユニット４４は概ね平板状のサポート構造４５を有する。平面図においては、補給ユニット４４は基本的に全体として涙形状の外観を有し、一端には概ね円形の部分を、もう一端には概ね三角形の部分を備える。補給ユニット４４を貫通する円形の開口を横断してスポークのサポート４７が存在する（図５参照）。このスポークのサポート４７を横断して線維性の担体４８が置かれる。空気が吸い込まれるとき、空気は線維性の担体４８を通過する。繊維およびその気孔率の選択、空気流の速度、および活性物質の蒸気圧は、活性物質の消費の速度と、上側ハウジングセクション２０のスロット２５を通じて見ることができる視覚的な消費キュー４９（図５参照）の消費の速度との調整における主要な要因である。補給ユニットの一例としては、２４時間の寿命を有し、視覚的な消費キュー４９は２４時間の後に蒸発あるいは外観が変化するように設計される。適当な視覚的な消費キューは米国特許出願公報第２００８／０１４１９２８号において説明されている。
【００４８】
線維性の担体４８に適当な空気処理化学物質を含浸させることで、デバイスに入る空気はその揮発性化学物質の幾らかを拾い上げ、これをデバイスの外へと供給するであろう。活性物質の取出速度は、毎時０．２ミリグラム（ｍｇ．／ｈｒ．）あるいはこれ以上であることが好ましい。さらに好ましい活性物質は、トランスフルトリン（ｔｒａｎｓｆｌｕｔｈｒｉｎ）、プラレトリン（ｐｒａｌｌｅｔｈｒｉｎ）、ベーパートリン（ｖａｐｏｒｔｈｒｉｎ）、テフルトリン（ｔｅｆｌｕｔｈｒｉｎ）、およびエスビオトリン（ｅｓｂｉｏｔｈｒｉｎ）、あるいは他の合成ピレスロイド（ｐｙｒｅｔｈｒｏｉｄｓ）である。蚊の制御に用いるためには、Ｓｕｍｉｔｏｍｏ  Ｃｈｅｍｉｃａｌ  Ｃｏｍｐａｎｙから（ＳｕｍｉＯｎｅ（登録商標）の商標名にて）販売されているメトフルトリン（ｍｅｔｏｆｌｕｔｈｉｎ）を使用するのが好ましい。含浸物質は、純粋な活性物質であっても、物質の扱いを容易にするために、炭化水素あるいは他の溶剤に溶かすこともできる。代わりに、あるいは加えて、繊維はさらに香料、脱臭剤、あるいは他の空気処理化学物質を有してもよい。線維性の担体４８は好ましくはその担体の間の圧力降下が４０パスカル（Ｐａ）を超えないように構成される。適当な繊維は空気の流れに対して最小限の抵抗しか与えない、織られたあるいは織られてない材料から製造することができる。
【００４９】
線維性の担体４８は、さらにその材料上に投与された活性物質成分を保持できるべきであり、さらにその活性物質が空気流に応じて蒸発できるように活性物質成分が容易に表面に移行できるべきである。疎水性であり、約１０℃から４０℃の間の通常の環境温度において移行可能な活性物質成分（例えば、メトフルトリン）について適当な材料には、単に一例として、ポリエステル、ポリプロピレン、綿、セルロース、ポリレーヨン、および他の類似の繊維が含まれる。これらは平方メートル当たり１０グラム（ｇｓｍ）から平方メートル当たり４０グラム（ｇｓｍ）の範囲の基本重量を有する、合成、天然、あるいは合成と天然の混合のポリマー材料から加工される織られてないものであってもよい。
【００５０】
理想的なファブリックの担体４８は、さらに、活性物質成分が投与された後に、活性物質成分が染み出ることを許容され、こうして活性物質成分が担体の全体に渡って効率的に分散することが確保され、その後、通過する空気流によって蒸発された活性物質成分が補充されるよう活性物質成分が担体の表面に移動できるようなものであるべきである。投与は、液体の活性物質成分を担体に滴下、散布、プリント、あるいは他の従来の方法で供給することで行ってもよい。とりわけ望ましいファブリックは、ポリエチレンテレフタレートから作られた２０から３０ｇｍｓの基本重量を有する織られてないフェルト材料である。
【００５１】
ウェアラブルケミカルディスペンサ１８内の補給ユニット４４の下にフレーム５０が配置される。フレーム５０は概ね矩形の周囲を有し、補給ユニット４４を支持する（図５および６参照）。基本的に補給ユニット４４の三角形の部分の一方の辺は直線であり、他方はくぼみがあることに注意する。対称性の若干の欠如は、対応する若干の対称性の欠如をフレーム５０の上側に沿っての収容し、これによって消費者が補給ユニット４４をフレーム５０上に裏返しに取り付けることを防止するように設計されている。フレーム５０の一端は後に説明されるヒンジ機構の一部を形成する対のスロット５１を有する。フレーム５０の他端には円形の開口５２が提供されている。フレーム５０内の穴５４は回転バネ５７によってオフ位置にバイアスされている回転作動ボタン５６を支持する。
【００５２】
図６および１１を見ると、ウェアラブルケミカルディスペンサ１８のファン６０が示されている。ファン６０は上側中央水平壁６４に結合する中央垂直壁６３を有するロータ６１を有する。中央垂直壁６３および上側中央水平壁６４はロータ６１の底内に凹部を規定する（図７参照）。ロータ６１の上側中央水平壁６４はロータ６１の軸上に管状取付部６６を含む。
【００５３】
好ましいファン６０は１４個のファンブレード６８ａから６８ｎを含む（図１１参照）。ウェアラブルケミカルディスペンサ１８に対して理想的な空気流のバランスおよび最小の電力消費をもたらすファンの構成は、１２個から１８個のファンブレードを含むことが発見された。好ましくは、ファンは補給ユニット４４の寿命（例えば、少なくとも８時間、最も好ましくは少なくとも１２時間）に渡って（補給ユニット４４が取り付けられている状態で）毎分０．０４２から０．０８５立方リットル（毎分１．５から３立方フィート）の空気の平均容積流速度を生成する。典型的にはファンは３０００から５０００ｒｐｍにて動作する。ウェアラブルケミカルディスペンサ１８の一例においては、補給ユニット４４の寿命（例えば、１２時間）に渡って、電源の消費電力は、０．３５ワットあるいはこれ以下、好ましくは０．３０ワットあるいはこれ以下、もっと好ましくは０．２５ワットあるいはこれ以下、さらにもっと好ましくは０．２０ワットあるいはこれ以下である。一つの例示的実施形態として、１２時間以上の寿命の補給ユニット４４では、電源の消費電力は約０．１７ワットであり、同時に、この１２時間の時間期間を通じて毎分少なくとも少なくとも０．０４２立方リットル（１．５立方フィート）の空気の平均容積流速が維持される。電源に対して一つあるいは複数の蓄電池を使用する場合、電圧は放電の間に変動するであろう。しかしながら、消費電力は、消費された全エネルギーを総時間で割ることによって決定することができる。
【００５４】
各ブレード６８ａから６８ｎは内側エッジ７０、外側エッジ７１、内側エッジ７０から外側エッジ７１へと延長する上側エッジ７２、およびロータ６１の上側表面７３によって規定される概ね矩形のボディー６９を有する。図１１を見ると、ロータ６１の中心点Ｃから各ブレード６８ａから６８ｎの内側エッジ７０に向かって径方向の基準線Ｒ１を引くことができる。同様に、ロータ６１の中心点Ｃから各ブレード６８ａから６８ｎの外側エッジ７１に向かって基準線Ｒ２を引くことができる。各ブレード６８ａから６８ｎのボディー６９はそれと関連する径方向の基準線Ｒ１との間に内角Ａを形成する。
【００５５】
ウェアラブルケミカルディスペンサ１８における理想的な空気流のバランスと最小の電力消費を与える結果としてのファン構成は、ある範囲のファンの寸法およびファンブレードの角度を含むことが発見されている。好ましくは、各ブレード６８ａから６８ｎは、内側エッジ７０から外側エッジ７１へと延在するある長さを有し、ここでこの長さは径方向の基準線Ｒ１の距離の８０％から１３０％である。好ましくは、各ブレード６８ａから６８ｎは、内側エッジ７０から外側エッジ７１へと延在するある長さを有し、ここでこの長さは径方向の基準線Ｒ２の距離の４５％から７５％である。好ましくは、図１１の内角Ａは、これは各ブレード６８ａから６８ｎのボディー６９とそれと関連する径方向の基準線Ｒ１とによって形成されるが、１００°から１５０°の範囲内である。これら例示的なファンの寸法およびファンブレードの角度は、ウェアラブルケミカルディスペンサ１８に対する理想的な空気流のバランスと最小の電力消費に寄与する。こうして、とりわけ、ファンからの空気の平均容積流速は、ロータの外側半径、ロータの内側半径、ブレードの数、ブレードの角度、および１分当たりのファンの回転数に依存する。
【００５６】
ファン６０の一つの制限されない実施形態は、約１５ミリメートルの内側エッジ７０から外側エッジ７１へと延在する長さ、約１４ミリメートルの径方向の基準線Ｒ１、約２５ミリメートルの径方向の基準線Ｒ２、および約１２０度の内角Ａを有する。この制限されない実施形態においては、ブレードの厚さは０．３から１．０ミリメートルの範囲を取り得るものであり、０．６ミリメートルが好ましく、（ロータ６１の上側表面７３からボディー６９の上側エッジ７２までの）ブレードの高さは５から１１ミリメートルの範囲を取り得るものであり、約８ミリメートルが好ましい。
【００５７】
ウェアラブルケミカルディスペンサ１８は電源を含む。例示実施形態において示されるように、電源のマイクロスイッチ７５は蓄電池接点７６に電気的に接続される。もう一つの蓄電池接点７７は、蓄電池７８と蓄電池接点７６との電気回路を完結させ、マイクロスイッチ７５に電気を供給する。ユーザがオン・オフボタン２９を「オン」位置に回転させることでスライドカバー２８を回転させると、スライドカバー２８のカム突起３２が回転作動ボタン５６に押し込まれ、これは次にマイクロスイッチ７５と接触し、電源が入れられる。
【００５８】
図６から８を見ると、ウェアラブルケミカルディスペンサ１８はウェアラブルケミカルディスペンサ１８の様々な部品を搭載するためのシャーシ８０を含む。上側ハウジングセクション２０とシャーシ８０が閉じた位置にあるときは（例えば、図１参照）、内部空間を有するハウジングが形成される。シャーシ８０はフレーム５０とスナップフィット式に係合する。
【００５９】
シャーシ８０はシャーシ８０内に上向きの空間８３を規定する隆起部分８２を備える底壁８１を有する（図６および７参照）。シャーシ８０の底壁８１内には蓄電池区画８４も提供されている（図７参照）。蓄電池接点７６、７７は蓄電池区画８４の両端に搭載される。シャーシ８０の底壁８１から上方に延長して、ノッチ８６を有するヒンジサポート８５およびノッチ８８を有するヒンジサポート８７が存在する（図６および８参照）。ヒンジサポート８５およびヒンジサポート８７は以下に説明されるヒンジ機構の一部を形成する。
【００６０】
シャーシ８０はさらに空気処理化学物質と混合された空気がウェアラブルケミカルディスペンサ１８の内部空間から出ることを可能にするための排気口を規定する一定間隔で分離された開口９１を有する側壁９０を含む。図５に示される制限されない例示的実施形態においては、開口９１は、シャーシ８０の側壁９０のまわりに点Ｅから点Ｆに向かって延在する。図５においては、点Ｅおよび点Ｆと（図６に示される軸Ｘ上の）点Ｄとの間の内角は約２７０°である。従って、開口９１はシャーシ８０の側壁９０の２７０°にわたって一定間隔で分離して配置されている。好ましくは、開口９１はシャーシ８０の側壁９０の少なくとも１８０°にわたって一定間隔で分離して配置される。より好ましくは、開口９１は、シャーシ８０の側壁９０の少なくとも２３５°にわたって一定間隔で分離して配置される。開口９１の総排気口面積の制限されない一例は、８．５×１０−４ｍ２である。好ましくは、蓄電池区画８４は開口９１から隔離される。これら例示的な開口の構成はウェアラブルケミカルディスペンサ１８に対する理想的な空気流のバランスと最小の電力消費に寄与する。
【００６１】
好ましくは、ファンから開口９１への流路は遮られない。幾つかの他のデバイスは、吸気ベントと排気ベントを遮蔽することで空気流を遮断するように設計されたスライドカバーを含んでいた。その意図は、ユニットが使用されてない間に、活性物質を投与されたパッドを通過する空気流を遮蔽することで、活性物質の損失を最小に抑えることであった。排気ベントを遮蔽する壁およびこれらを支持するための形状は、大きな空間を占拠し、デバイスの寸法を増加させる原因となっていた。本発明においては、これら遮蔽壁は活性物質成分の損失を増加させることなく、除去されている。
【００６２】
モータ９３がシャーシ８０内の空間８３内に配置され、ワイヤ９４はモータ９３をマイクロスイッチ７５に接続し、回転作動ボタン５６がマイクロスイッチ７５と接触すると、電源がオンされ、モータに電力が供給される。モータ９３はロータ６１上の管状取付部６６に接続されている駆動シャフト９５を含む。結果として、モータ９３はファン６０を回転させることができる。蓄電池ドア９６はシャーシ８０の底壁８１内の蓄電池区画８４をカバーする。蓄電池ドア９６は搭載タブ９７を含む。底カバー１０２はファスナーによってシャーシ８０に固定される。
【００６３】
図６、９および１０を見ると、ウェアラブルケミカルディスペンサ１８をユーザの衣服（例えば、ベルト）にクリップするための手段が示されている。底カバー１０２は底カバー１０２の底表面１０５内の弓状のウエル１０４によって部分的に取り囲まれている貫通孔１０３を含む。底カバー１０２の底表面１０５はさらに貫通孔１０３のまわりに半円形に５つに分離して配置された矩形の凹部１０６ａ、１０６ｂ、１０６ｃ、１０６ｄ、１０６ｅを含む。ウェアラブルケミカルディスペンサ１８は、さらにクリップ１１０を含み、クリップ１１０の前側セクション１１２はその上側端の所で、後側セクション１１３から、前側セクション１１２と後側セクション１１３とを接続する上側セクション１１４によって離されている。クリップ１１０の下端では、前側セクション１１２と後側セクション１１３とは、ユーザによって曲げられて引き離されるまで接触している。クリップ１１０の後側セクション１１３は弓状の突起１１６、管状取付部材１１７、および端に突起１２０を有する移動可能なタブ１１９を有する。移動可能なタブ１１９はクリップ１１０の後側セクション１１３内の切り抜き１２１によって形成される。ファスナー１２２（図６参照）が底カバー１０２の貫通孔１０３を通じてクリップ１１０の管状取付部１１７内へと挿入され、底カバー１０２とクリップ１１０を接続する。
【００６４】
さらに図６、９および１０を見ると、クリップ１１０の回転機能について説明することができる。クリップ１１０が底カバー１０２に接続されたとき、クリップ１１０は図９のような位置にある。ファスナー１２２は、底カバー１０２の貫通孔１０３内に、クリップ１１０が底カバー１０２に対して回転できるように、クリップ１１０の管状取付部１１７を固定する。クリップ１１０が図９に示されているその位置から時計回りに回転されると、弓状の突起１１６は管状のウエル１０４内を時計回りに移動し、こうしてクリップ１１０の回転をガイドする。移動可能なタブ１１９の突起１２０は、移動可能なタブ１１９の柔軟性のために、凹部１０６ｃの外に移動する。クリップ１１０は時計回りに、移動可能なタブ１１９の突起１２０が底カバー１０２の凹部１０６ｂ内に移動するまで回転する。さらに突起１２０が凹部１０６ｂ内にある位置から時計回りにクリップ１１０が回転されると、弓状の突起１１６はさらに弓状のウエル１０４内を時計回りに移動し、突起１２０は凹部１０６ｂから移動可能なタブ１１９の柔軟性のために外に出る。クリップ１１０は移動可能なタブ１１９の突起１２０が底カバー１０２の凹部１０６ａ内に移動するまで時計回りに回転する。この位置においては、弓状の突起１１６は、弓状のウエル１０４の壁１２９によってさらに時計回りに移動することを阻止され、ウェアラブルケミカルディスペンサ１８のハウジングはクリップ１１０に対して９０°のところにある。
【００６５】
クリップ１１０が図９に示されているその位置から反時計回りに回転されると、弓状の突起１１６は弓状のウエル１０４内を反時計回りの方向に移動し、こうしてクリップ１１０の回転をガイドする。移動可能なタブ１１９の突起１２０は移動可能なタブ１１９の柔軟性のために凹部１０６ｃの外に出る。クリップ１１０は、反時計回りに、移動可能なタブ１１９の突起１２０が底カバー１０２の凹部１０６ｄ内に移動して入るまで回転する。突起１２０が凹部１０６ｄ内にある位置からさらに反時計回りにクリップ１１０が回転されると、弓状の突起１１６は弓状のウエル１０４内をさらに反時計回りに移動し、突起１２０は移動可能なタブ１１９の柔軟性のために凹部１０６ｄの外に出る。クリップ１１０は、反時計回りに、移動可能なタブ１１９の突起１２０が底カバー１０２の凹部１０６ｅ内に移動して入るまで回転する。この位置にあるときは、弓状の突起１１６は弓状のウエル１０４の壁１２７によってさらに反時計回りに移動することを阻止され、ウェアラブルケミカルディスペンサ１８のハウジングはクリップ１１０に対して９０°のところにある。
【００６６】
こうして、弓状の突起１１６および弓状のウエル１０４はクリップ１１０の底カバー１０２に対する制御された回転のための手段を提供する。具体的には、クリップ１１０を回転させると突起１１６がウエル１０４内を移動する。図９の例示的実施形態においては、ウエル１０４および突起１１６は、クリップ１１０が１８０°（すなわち、時計回りに９０°および反時計回りに９０°）回転できるような寸法にされている。好ましくは、クリップ１１０は少なくとも９０°回転できる。
【００６７】
加えて、突起１２０を有する移動可能なタブ１１９および貫通孔１０３のまわりに半円形に離して配列された矩形の凹部１０６ａ、１０６ｂ、１０６ｃ、１０６ｄ、１０６ｅはクリップ１００およびハウジングの互いのインデックス付き回転位置決めに対する手段を提供する。凹部１０６ａ、１０６ｂ、１０６ｃ、１０６ｄ、１０６ｅはガイドを提供し、移動可能なタブ１１９の突起１２０は上述のようにガイド内を一段ずつ移動する。
【００６８】
しがしばユーザは、図９に示されている位置のウェアラブルケミカルディスペンサ１８のクリップ１１０にて、ウェアラブルケミカルディスペンサ１８をベルトにクリップするが、ここでは排気口の開口９１は、ユーザから下方、ユーザの一方の側および反対側に向く。これは空気と空気処理化学物質の混合物を、ユーザから下方、ユーザの一方の側および反対側に向ける。もしユーザが空気と空気処理化学物質の混合物を、上下と、一方の側に向けることを望む場合は、ユーザはハウジングを上述のように回転クリップ１１０を使用して回転させることができる。ユーザはまた座っているときは、体にぶつかってきつくなることを回避するようにハウジングを回転させることを望むかもしれない。さらに、クリップ１１０の枢動点を排気口の開口９１に隣接するハウジングのセクション内に置くことで、クリップ１１０を回転させたとき、空気と空気処理化学物質の混合物の方向のより高精度な制御が得られる。こうして、ウェアラブルケミカルディスペンサ１８のハウジングは、使用において、垂直あるいは水平となり得る。
【００６９】
次に図５，６，８，８Ａ、８Ｂ、および８Ｃを見ると、ウェアラブルケミカルディスペンサ１８のヒンジ機構をさらに説明することができる。ヒンジ機構はユーザが上側ハウジングセクション２０を、図５，７および８Ａの開いた位置に開けることを可能にし、新たな補給ユニット４４を図５に示されているようにフレーム５０上に取り付けることができる。
【００７０】
図８Ａ、８Ｂ、および８Ｃを見ると、ヒンジアーム３８の枢動ピン３９のヒンジサポート８５のノッチ８６内での移動について説明できる。枢動ピン３９は、外側壁１３１を有し、これは第一の平坦なセクション１３３と第二の平坦なセクション１３４との間に広がる弓状のセクション１３２をする。中間セクション１３５が第一の平坦なセクション１３３と第二の平坦なセクション１３４とを接続する。図８Ａ、８Ｂ、および８Ｃにおいては、枢動ピン４１は示していないが、枢動ピン４１は枢動ピン３９の外側壁１３１と同一の形状の外側壁を有する。
【００７１】
図８Ａにおいては、上側ハウジングセクション２０は完全に開いた位置にある。枢動ピン３９の外側壁１３１の第二の平坦なセクション１３４はヒンジサポート８５のノッチ８６の底の平坦な表面１３７（図８参照）上に載っている。ノッチ８６の底の平坦な表面１３７と枢動ピン３９の外側壁１３１の第二の平坦なセクション１３４との整合は上側ハウジングセクション２０を完全に開いた位置に保つ。
【００７２】
図８Ｃにおいては、上側ハウジングセクション２０は閉じた位置にある。枢動ピン３９の外側壁１３１の第一の平坦なセクション１３３はヒンジサポート８５のノッチ８６の底の平坦な表面１３７上に載っている。ノッチ８６の底の平坦な表面１３７と枢動ピン３９の外側壁１３１の第一の平坦なセクション１３３との係合は上側ハウジングセクション２０を閉じた位置に保つ。さらに上側ハウジングセクション２０の留め具１５５（図５参照）がスロット１５７（図５参照）と係合し、ハウジングを閉じた状態に保つ。
【００７３】
図８Ｂにおいては、上側ハウジングセクション２０は部分的に開いた位置にある。枢動ピン３９の外側壁１３１の中間セクション１３５はヒンジサポート８５のノッチ８６の底の平坦な表面１３７上に載っている。ノッチ８６の底の平坦な表面１３７と枢動ピン３９の外側壁１３１の中間セクション１３との整合は上側ハウジングセクション２０を部分的に開いた位置に保とうとする。しかしながら、上側ハウジングセクション２０をＺ方向に移動させると、上側ハウジングセクション２０は、枢動ピン３９が重力によって枢動ピン３９の外側壁１３１の第二の平坦なセクション１３４がノッチ８６の底の平坦な表面１３７上に載るまで回転するために、図８Ａに示されている完全に開いた位置にすばやく戻される。一方、上側ハウジングセクション２０をＹ方向に移動させると、上側ハウジングセクション２０は、枢動ピン３９が重力によって枢動ピン３９の外側壁１３１の第一の平坦なセクション１３３がノッチ８６の底の平坦な表面１３７上に載るまで回転するために、図８Ｃに示されている閉じた位置へと移動される。
【００７４】
枢動ピン４１はノッチ８８内を、上側ハウジングセクション２０を開く際に、枢動ピン４１の外側壁の平坦なセクションがヒンジサポート８７のノッチ８８の底の平坦な表面１３８（図８参照）上に来るのと同様の方法で移動する。ヒンジの移動の際に、ヒンジブラケット３６のアーム３８および４０は、フレーム５０（図５参照）のスロット５１内を移動する。
【００７５】
ヒンジブラケット３６のアーム３８、４０の枢動ピン３９、４１の外側壁の構成は、上側ハウジングセクション２０を開けるとき、有利なヒンジング作用を提供する。ユーザが最初に上側ハウジングセクション２０を開け始めるときは、ユーザは、枢動ピン３９、４１が、そこでは枢動ピンの外側壁の第一の平坦なセクションが関連するノッチの底の平坦な表面上に載る閉じた位置（図８Ｃ参照）に戻ろうとする動きに打ち勝たなければならない。しかしながら、いったん上側ハウジングセクション２０が図８Ｂの部分的に開いた位置に到達してしまうと、さらにＺ方向に少し移動させるだけで、上側ハウジングセクション２０は、枢動ピン３９が重力のために枢動ピン３９の外側壁１３１の第二の平坦なセクション１３４がノッチ８６の底の平坦な表面１３７に載るまで回転するために、図８Ａに示される完全に開いた位置にすばやく移動される。
【００７６】
同様に、ヒンジブラケット３６のアーム３８、４０の枢動ピン３９、４１の外側壁の構成は、上側ハウジングセクション２０を閉めるときにも有利なヒンジング作用を提供する。ユーザが最初に上側ハウジングセクション２０を閉じ始めるときは、ユーザは、枢動ピン３９、４１が、そこでは枢動ピンの外側壁の第二の平坦なセクションが関連するノッチの底の平坦な表面上に載る完全に開いた位置（図８Ａ参照）に戻ろうとする動きに打ち勝たなければならない。しかしながら、いったん上側ハウジングセクション２０が図８Ｂの部分的に開いている位置に到達してしまうと、さらにＹ方向に少し移動させるだけで、上側ハウジングセクション２０は、枢動ピン３９が重力のために枢動ピン３９の外側壁１３１の第一の平坦なセクション１３３がノッチ８６の底の平坦な表面１３７に載るまで回転するために、図８Ｃに示される閉じた位置へとすみやかに移動させられる。
【００７７】
コンポーネントの構造に関しては、上側ハウジングセクション２０、スライドカバー２８、ヒンジブラケット３６、補給ユニット４４の支持構造４５、フレーム５０、ファン６０、シャーシ８０、蓄電池ドア９６、底カバー１０２、およびクリップ１１０は、適当なポリマー材、例えば、ポリエチレン、ポリプロピレン、あるいはポリエステルから形成することができる。
【００７８】
動作においては、ウェアラブルケミカルディスペンサ１８は、ベルト、小物入れ等に、クリップ１１０をその目的に使用してクリップされる。ユーザがオン・オフボタン２９を上側ハウジングセクション２０の側壁２２に沿って「オン」位置に移動させると、スライドカバー２８の開口３１は上側ハウジングセクション２０の上側壁２３内に径方向に配列されている開口２４と揃う。スライドカバー２８のカム突起３２が回転作動ボタン５６に押し込まれ、マイクロスイッチ７５と接触し、電源を入れ、モータ９３によってファン６０を動かす。ウェアラブルケミカルディスペンサ１８のファン６０によって空気が開口２４および開口３１を通じて吸い込まれる。空気が線維性の担体４８を通過するとき、空気処理化学物質が空気内に混合され、空気と空気処理化学物質の混合物が次に開口９１から径方向に（好ましくはズボンあるいはドレスに沿って下方に）吹き出される。ユーザはクリップ１１０を上述のように回転させることができる。
【００７９】
このデバイスは、主として野外に出かけるとき、人と共に持ち運ばれるウェアラブル商品として使用されることを意図されるが、これはクリップ１１０を下方に、上側ハウジングセクション２０を上方に向けて、ピクニックテーブル等の上に平らに置くこともできる。このやり方で用いられるときは、これはピクニックあるいは類似の野外活動の際にあるエリアに対する保護を提供することができる。
【００８０】
こうして、このデバイスは遙かにコンパクトかつ軽量であり、それでいて効果的である。さらに、蓄電池の観点からの動作のコストも低減される。このデバイスは座っているとき、より快適に使用でき、散布方向に関してより大きな制御を提供する。さらに、交換用の活性物質の詰替品の取り付けが簡単である。これらの長所は低コストにて達成され、信頼性の高い構造を提供する。
【００８１】
このウェアラブルディスペンサにおいては、吸気グリルのサイズは、特定の範囲内のファンブレード、サイズおよびブレード角度内に入る改良されたファンと協働して機能するように設計されている。低電流消費モータがファン設計の軸方向ハブ内に凹設される。空気流は、２７０個のアウトプットベントを通じて排出される。設計上の特徴のこの組合せは、空気流と最小の電力消費との間の理想的なバランスをもたらし、高度に効率的なシステムをもたらし、これは比較的小さく、軽量なユニットにて、良好な虫よけ効果と使用期間を実現する。
【００８２】
上記では一つの例示的な実施形態が説明されたが、この開示の趣旨および範囲内に入る本発明の他の多数の実施形態が存在することを理解されるべきである。例えば、このデバイスは異なるエネルギー源（例えば、太陽光発電パネル）によって動かすこともでき、昆虫制御成分と共に、あるいは代わりに他の形態の活性物質（例えば、香料あるいは脱臭化学物質）を供給することもでき、さらに、昆虫制御成分が供給されるときでも、それは蚊の制御に焦点を与えられた成分である必要もない（例えば、他の飛ぶあるいは這う昆虫あるいは害虫を撃退するための化学物質を用いることもできる）。このように、本発明は、特定の実施形態において示されたあるいは説明されたもののみに制限されるべきではない。
【産業上の利用可能性】
【００８３】
ここでは昆虫制御化学物質および／または他の空気処理化学物質を人体に隣接して供給する能力を有するウェアラブルディスペンシングデバイスが提供される。
【図１】
0005620491.tif 000002
【図２】
0005620491.tif 000003
【図３】
0005620491.tif 000004
【図４】
0005620491.tif 000005
【図５】
0005620491.tif 000006
【図６】
0005620491.tif 000007
【図７】
0005620491.tif 000008
【図８】
0005620491.tif 000009
【図８Ａ】
0005620491.tif 000010
【図８Ｂ】
0005620491.tif 000011
【図８Ｃ】
0005620491.tif 000012
【図９】
0005620491.tif 000013
【図１０】
0005620491.tif 000014
【図１１】
0005620491.tif 000015